(57)【要約】即席麺のような即席食品に適した特有の構造と有し、ラベルを挿嵌した場合においても、ラベルの一部においてもたるみ等の問題が生じないような即席食品用の二重容器を提供する。外容器１と内容器２の各側壁は略同テーパーを有し両側壁間には空気層の間隙を形成しており、外容器１と内容器２とは、両容器の底面の対向する連結部Ａ１１及び連結部Ｂ２２により螺合係止され、且つ内容器のフランジ部２１下面に外容器１の開口部上端面が第一のガスケット４を介して密着して嵌合し、内容器２の側壁下端部２３が、外容器２の内側底面部にほぼ当接するように伸長して形成する即席食品用の二重容器。【選択図】図１
2008059821.tif 000002
【特許請求の範囲】
【請求項１】
カップ状の外容器及び内容器並びに内容器開口部を閉塞する蓋材からなる即席食品用のプラスチック製二重容器であって、
（１）外容器と内容器の各側壁は、略同テーパーを有し、両側壁間には空気層の間隙を形成すること
（２）外容器と内容器とは、両容器の底面中央部の対向する位置にそれぞれ凸設して形成された連結部Ａ,Ｂにより螺合係止され、且つ内容器のフランジ部下面に外容器の開口部上端面が第一のガスケットを介して密着して嵌合すること
（３）内容器の側壁下端部は、外容器の内側底面部にほぼ当接するように伸長して形成すること、
を特徴とする即席食品用二重容器。
【請求項２】
前記（３）において内容器の側壁下端部が、内容器の側壁部と直線状に連続して外容器の内側底面部に当接するように形成する請求項１に記載の即席食品用二重容器。
【請求項３】
外容器と内容器との側壁間には、適宜デザインのラベル又はシートが、内容器側壁のほぼ全面を覆うように挿嵌されてなることを特徴とする請求項１乃至請求項２に記載の二重容器。
【請求項４】
蓋材下面には、内容器の開口部内側周縁に設けられた段部に嵌合すべく、係合部を凸設し、当該凸設部に第二のガスケットを係合させ、このガスケットを介して当該蓋材と内容器開口部とが密着して着脱自在に嵌合されることを特徴とする請求項１乃至請求項３に記載の二重容器。
【請求項５】
二重容器が、熱湯注加により復元する即席食品用の容器であり、前記蓋材には蒸気抜き用の小孔を1つ又は２つ以上設けることを特徴とする請求項１乃至請求項４に記載の二重容器。
【請求項６】
外容器の底面外側に、滑り止め材を設けることを特徴とする請求項１乃至請求項５に記載の二重容器。
【発明の詳細な説明】
【技術分野】
【０００１】
本発明は即席食品用の二重容器に関するものである。
【背景技術】
【０００２】
即席食品には種々のものがある。即席カップ麺・即席カップスープでは、通常はプラスチック製や紙製のカップ状容器又は丼状容器等に即席食品を収納して商品としているが、プラスチック製や紙製の当該容器は喫食後に廃棄されるものである。近年、廃棄物の処理及び資源保護の観点から資源の有効利用の必要性が高まっており、そこで再使用できる即席食品喫食用の容器が求められている。【０００３】
すなわち、このような再使用できる即席食品用の容器があれば、即席食品商品は使い捨てのカップ等の容器に収納する必要はなく、簡易包装しておくだけでよい。そして、簡易包装された即席食品を購入等した消費者はこれを開封して、前記の再使用できる即席食品用容器を用いて喫食することができる。【０００４】
このような再使用できる即席食品の喫食用容器としては、即席食品の喫食用容器は復元のため熱湯を注加しても保温性が高いこと、また、喫食に際しては容器を手で保持することから、同時に断熱性の高いことが必要になる。このような容器として多重容器が種々提案されている。また、容器の不良在庫を解消し、各種内容物に適応させるためには、内容物に表示ラベルを適宜差し換えできる二重容器が便利であり、省資源につながる。【０００５】
二重容器の場合、このような即席食品にも利用可能であり、且つ適宜表示ラベルを内容器と外容器の間に容易に挿嵌可能な二重容器として既に、先行技術が開示されている（例えば、特許文献１）。【０００６】
しかし、上記の先行技術は収納する対象物を即席食品に限定したものではない。また、挿嵌するラベルの下端部のたるみ等を防止するために外容器の内壁下端部に止めリング等のラベル保持手段が設けられているが、当該止めリングの上部において内容器に密接していないため、挿嵌するラベルのたるみや浮きを生じるおそれがある。【０００７】
このように、二重容器において、即席食品に特に適した形状を有し、かつ、内容器の側壁下端部を外容器のほぼ内側底部まで伸長して形成することによって、内部に挿嵌したラベル等のたるみや浮きをほぼ完全に無くするものは未だ完成されていなかった。
【特許文献１】特開２００３−１１２７７５
【発明の開示】
【発明が解決しようとする課題】
【０００８】
そこで、本発明者は鋭意研究を重ね、二重容器の構造を即席食品に適した特有の構造とするとともに、内容器と外容器の間にラベルを挿嵌した場合においても、ラベルの一部においてもたるみ等の問題が生じることない即席食品用の二重容器を提供することを目的とした。
【課題を解決するための手段】
【０００９】
本発明者はこれらの課題を解決すべく鋭意研究の結果、以下の容器を発明した。【００１０】
すなわち、本願第一の発明は、
カップ状の外容器及び内容器並びに内容器開口部を閉塞する蓋材からなる即席食品用のプラスチック製二重容器であって、
（１）外容器と内容器の各側壁は、略同テーパーを有し、両側壁間には空気層の間隙を形成すること
（２）外容器と内容器とは、両容器の底面中央部の対向する位置にそれぞれ凸設して形成された連結部Ａ,Ｂにより螺合係止され、且つ内容器のフランジ部下面に外容器の開口部上端面が第一のガスケットを介して密着して嵌合すること
（３）内容器の側壁下端部は、外容器の内側底面部にほぼ当接するように伸長して形成すること、
を特徴とする即席食品用二重容器、である。【００１１】
本発明においては、図１又は図２に示すように外容器（１）及び内容器（２）の外形開口部が広いカップ形状になっているため、即席食品をスムーズに収納することができるとともに、喫食時において箸、フォーク、スプーン等によって喫食し易い。また、容器側壁がテーパー形状を有しているため、収納する即席食品の形状を調整することによって、容器の中間部に即席食品を保持することも可能である。例えば、即席麺を収納する場合は、中間保持させることができると、熱湯での復元時に効率的に復元できるという利点がある。【００１２】
また、内容器（２）のフランジ部下面に外容器（１）の側壁開口部上端面とが第一のガスケット（４）を介して密着して嵌合しているため、外容器（１）と内容器（２）間の空間を密閉状態で保持することができる。これによって、外容器（１）と内容器（２）間の空気層の断熱性をより一層向上させるだけでなく、内外容器を連結した状態で喫食後の容器を洗浄等しても外容器（１）と内容器（２）間の空間への洗浄水や湿気等の浸入を防ぐことができ、内部に挿嵌したラベルやシート等を湿気等より安定に保護することができるなど、気密性、水密性向上に効果が大きい。【００１３】
さらに、内容器（２）の側壁下端部（２３）は、外容器（１）の内側底面部にほぼ当接するように伸長して形成されているため、ラベル（６）を挿嵌しない状態で使用する場合において、内容器を有色の不透明とすると、外部より視認した場合に連結部Ａ（１１）及び連結部（２２）が隠されることとなるため、美感性を損ねることがない。【００１４】
尚、本発明における内側底面部にほぼ当接するようにとは、側壁下端部（２３）と外容器（１）の内側底面部とが概ね３ｍｍ以下の距離を有している場合をいい、実際に当接している場合も含むものとする。【００１５】
本願第二の発明は、
前記（３）において内容器の側壁下端部が、内容器の側壁部と直線状に連続して外容器の内側底面部に当接するように形成する請求項１に記載の即席食品用二重容器、である。【００１６】
本発明であれば、さらに、内容器（２）の側壁下端部（２３）が内容器（２）の側壁部と直線状に連続して伸長しており、かつ、外容器（１）の内側底面部に実際に当接するように形成されているため、ラベル（６）を挿嵌した場合、内容器（２）の側壁下端部（２３）まで、ほぼ完全にたるみや浮きがない状態でラベル（６）を保持できる。このため視覚的にもより優れた二重容器を提供することができる。【００１７】
さらに、内容器（２）をインモールド成型すれば、内容器（２）の側壁部外面にデザインを施すこともでき、ラベル（６）等を挿嵌しなくても視覚的に優れた二重容器を提供することができる。【００１８】
本願第三の発明は、
前記即席食品用二重容器において、外容器と内容器との側壁間には、適宜デザインラベル又はシートが、内容器側壁のほぼ全面を覆うように挿嵌されてなることを特徴とする請求項１乃至請求項２に記載の二重容器、である。【００１９】
本発明であれば、デザインラベル等を外容器（１）と内容器（２）との側壁間に挿嵌しており、内容器（２）の側壁下端部（２３）が、外容器（１）と内容器（２）を連結した状態において外容器（１）の内側底面部付近まで接近あるいは接しているため、ラベル（６）のほぼ全面を内容器外面に沿って、たるみや浮きなく保持しているものである。【００２０】
本願第四の発明は、
前記即席食品用二重容器において、蓋材下面には、内容器の開口部内側周縁に設けられた段部に嵌合すべく、凸状係合部を形成し、当該係合部には、第二のガスケットを係合させ、このガスケットを介して当該蓋材と内容器開口部とが密着して着脱可能に嵌合されることを特徴とする請求項１乃至請求項３に記載の二重容器、である。【００２１】
本発明であれば、蓋部（３）を密着して内容器（２）に嵌合させることができるため、熱湯での復元中の熱の漏れを防ぐことができるとともに、復元中又は復元後の即席食品を容器内に収納した状態で移動しても安全を確保することができる。【００２２】
本願第五の発明は、
二重容器が、熱湯注加により復元する即席食品用の容器であり、前記蓋材には蒸気抜き用の小孔を1つ又は２つ以上設けることを特徴とする請求項１乃至請求項４に記載の二重容器、である。【００２３】
前記即席食品用二重容器は、熱湯注加により復元する即席食品用の容器であり、その蓋材（３）には、蒸気抜き用の小孔を1又は２以上設けることができる。この小孔には、円形のみならず、多角形の孔やスリット状の溝孔も含まれる。【００２４】
本願第六の発明は
外容器の底面外側に、滑り止め材を設けることを特徴とする請求項１乃至請求項５記載の二重容器、である。【００２５】
本発明であれば、外容器（１）の底面外側の接地部（７）に滑り止め等を設けておくことでテーブル等に容器を静置した場合に滑り等を防止することができる。【００２６】
【発明の効果】
【００２７】
本発明に係る即席食品用の二重容器を利用することで、即席食品塊をスムーズに収納することができる。また、内容器と外容器の間にラベルを挿嵌した場合においてはラベルのたるみ等の問題が生じず、また、容器の洗浄等を行った後であっても、安定にラベルを保持することができるような即席食品用の二重容器を提供することができる。【００２８】
【発明を実施するための最良の形態】
【００２９】
以下、本発明を実施例によって説明するが、本実施例は、本発明の一形態に過ぎず、これらの実施例に限定されるものではない。【００３０】
図１及び図２は、本発明に係る二重容器の実施例を示す。【００３１】
図１及び図２において符号（１）は、上面が開口するプラスチック製の外容器、（２）は同じく上面が開口するプラスチック製の内容器である。内容器（２）は外容器（１）の内部に収容でき、蓋材（３）によって内容器（２）を閉塞する構成となっている。
外容器（１）と内容器（２）の各側壁は、略同テーパーを有し、両側壁間には空気層の間隔が形成されている。【００３２】
外容器（１）は種々のプラスチックを選択できるが、例えば、アクリルニトリルスチレンやポリカーボネートがある。【００３３】
尚、前述のようにラベルを外容器（１）と内容器（２）の間に挿嵌させる場合には、外部よりラベルを視認できる様、外容器１を透明又は半透明の材質を用いることが好ましい。【００３４】
また、内容器（２）は、熱湯に触れるが、耐熱性のものであれば種々のプラスチックを用いることができる。例えば、耐熱性のポリプロピレンやポリエチレンナフタレートの樹脂がある。【００３５】
外容器（１）には、底面部内側に凸設して連結部Ａ（１１）が一体に形成されており、底面部外側には、滑り止め等の目的のために接地部（７）が設けられている。接地部（７）としては、種々のものを用いることができるが、例えば、シリコーンゴム、エチレン-プロピレンゴム、ニトリルゴムがある。【００３６】
内容器（２）には、開口上端部にフランジ部（２１）が形成されている。また、底面部外側に凸設して連結部Ｂ（２２）が一体に形成されており、側壁下端部（２３）は連結部Ａ（１１）及び連結部Ｂ（２２）を螺合した場合に、外容器（１）の内側底面部にほぼ当接するか又は実際に当接するように側壁部より直線状に伸長して形成されている。外容器（１）の開口上端部は、第一のガスケット（４）を介して内容器（２）のフランジ部（２１）の内側に密着して嵌合する構造を有している。【００３７】
尚、本内容器（２）は、無地の他、インモールド成型して側壁部の外面に特定のデザインを施してもよい。【００３８】
第一のガスケット（４）は弾力性のある素材であれば種々可能であるが、例えば、シリコーンゴム、エチレン-プロピレンゴムがある。【００３９】
外容器の連結部Ａ（１１）と内容器の連結部Ｂ（２２）は螺合係止されるが、この際、外容器（１）の開放上端部が内容器（２）のフランジ部（２１）の内側に第一のガスケット（４）を介して密着し嵌合することで、外容器（１）と内容器（２）を固定する構造となっている。【００４０】
尚、連結部Ａ（１１）と内容器の連結部Ｂ（２２）の螺合状態については図１（ａ）のような場合の他、図１（ｂ）に示すように連結部Ｂ（２２）が一体化してボルト状となっているものや、図１（ｃ）に示すように、連結部Ｂ（２２）が側壁下端部（２３）を兼ねる場合もある。【００４１】
蓋材（３）は内容器の開口部にほぼ沿うように円形の外形を有し、該壁面の下部には該壁面よりも半径が小さく同心円状の凸部を有しており、該凸部が円中心部から外側方向に向かって鍔部を有している。該鍔部に第二のガスケット（５）を嵌め込む。蓋材（３）は、内容器（２）の開放部と第二のガスケット（５）を介して密着して嵌合することができ、第二のガスケット（５）を介してこの弾性を利用して抜け止め状に構成することができる。また、蓋材（３）には、蓋を開けやすくするために摘み手部（３３）を設けてもよい。【００４２】
また、通常、本発明の容器に即席食品を収納後、熱湯等を注加し、蓋材（３）で内容器を嵌合し密着状態にすると、内部の蒸気圧力のために、蓋材（３）が跳ね飛んだりする等の問題が生じるおそれがある。そこで、過剰の蒸気を抜く目的のために、小孔（３２）が設けられている。【００４３】
本容器の外容器（１）と内容器（２）の各側壁は略同テーパーを有し、両側壁間には空気層の間隙を形成している。この空気層の間隙にラベル（シート）（６）を挿嵌することができる。挿嵌の方法は種々可能であるが、例えば、外容器（１）の胴部の内周面又は内容器の胴部の外周面にラベル（シート）（６）を密着させ、この状態で外容器（１）に内容器（２）を収納し、螺合結合することでラベル（シート）（６）を両容器間の間隙に挿嵌する方法がある。このラベル（シート）（６）は紙等の種々の材質を用いることができる。例えば、紙のほか、比較的弾性を有するポリエチレンテレフタレート等の種々の材質が可能である。印刷する好みの絵や写真等を自由に入れ替え等することができる。【００４４】
本容器で収納・喫食可能な即席食品としては、内容器（１）内に収納できる大きさのものであれば種々の形状・タイプの即席食品が可能である。具体的には、即席麺、即席ワンタンや即席スープ等が可能である。【００４５】
即席食品のうち、特に即席麺については、本容器を有効に利用できる即席食品であるが、この場合、簡易包装された詰め替え式の即席麺が好ましい。【００４６】
具体的には、例えば、本願出願人による特願２００６−２５４２４７号に記載されている包装即席麺が好適である。すなわち、当該技術は、市販の即席カップ麺のように、熱湯を注加するだけで、麺、スープ、具材が復元でき、喫食することができ、それでいて即席カップ麺の場合とは異なり、包装体から容器に移して喫食するタイプの包装即席麺である。【００４７】
本包装即席麺であればカップ容器を廃棄することがなく、廃棄する包材を極力減らすことができる。【００４８】
この包装即席麺は、図３（ａ）に示すように、詰め替え用の即席麺塊を軟包材により脱気包装した包装即席麺であり、図３（ｂ）に示すように、底面より開封して、図３（ｃ）に示すように上部より本発明に係る二重容器を被せ、反転させて図３（ｄ）に示すように、包装体より即席麺塊を取り出し、これを本発明の二重容器に収納することで、この後、熱湯を注加した後、喫食することができる。【００４９】
特に、該即席麺塊の形状を調整して、本願容器のテーパー形状に合わせて、図４に示すように中間に保持することができると、熱湯を容器内に注加した場合、熱湯が麺塊下部よりも麺塊を復元させることができるため、迅速に復元することができる。また、ラベル（６）を挿嵌している状態では、図４（ｂ）に示すように、ラベルのたるみ等が生じることなく、安定して保持することができる。【００５０】
【産業上の利用可能性】
【００５１】
本発明の即席食品用の二重容器であれば、幅広い開口部を有するため、即席食品をスムーズに収納することができる。また、外容器と内容器間に挿嵌したラベル（シート）を安定して保持することができるため、消費者にオリジナルなマイカップを提供したり、収納物を明確に表示することもできる。このように、本容器を利用することで、即席麺等の即席食品の一層の発展を図ることができる。【００５２】
【図面の簡単な説明】
【００５３】
【図１】本発明の実施例の二重容器の中央縦断面図である。（ａ）は本実施例の断面図であり、（ｂ）及び（ｃ）は変形例の断面図である。
【図２】本発明の実施例の二重容器の分解斜視図である。
【図３】特願２００６−２５４２４７号に記載されている包装即席麺を本発明の容器に利用した場合の斜視図であり、（ａ）は特願２００６−２５４２４７号に記載されている包装即席麺の斜視図である。（ｂ）は、前記包装即席麺を裏返し、開口蓋を剥がし始めた状態の斜視図である。（ｃ）は、本発明の二重容器を開口後の包装即席麺に被せた斜視図である。（ｄ）は、反転させて即席麺塊を本発明の二重容器内に収納する状態の斜視図である。
【図４】本発明の二重容器に即席麺塊を収納した状態の斜視図である。（ａ）は、本発明の二重容器内に即席麺塊を収納した状態の斜視図である。（ｂ）は、本発明のラベルを挿嵌した二重容器に即席麺塊を収納している状態の斜視図である。
【符号の説明】
【００５４】
１    外容器
２    内容器
３    蓋材
４    第一のガスケット
５    第二のガスケット
６    ラベル（シート）
７    接地部
８    即席麺塊
９    包装容器
１１  連結部Ａ
２１  内容器のフランジ部
２２  連結部Ｂ
２３  側壁下端部
３１  凸状係合部（第二のガスケットのための鍔部）
３２  蓋材の小孔
３３  蓋材の摘み手
【図１】
2008059821.tif 000003
【図２】
2008059821.tif 000004
【図３】
2008059821.tif 000005
【図４】
2008059821.tif 000006
【国際調査報告】
2008059821.tif 000007
2008059821.tif 000008
2008059821.tif 000009
2008059821.tif 000010